(57)【要約】【課題】  駆動カムによってレンズを光軸方向に移動するファインダ装置において、レンズを安定した位置に円滑に移動させることを可能にする。【解決手段】  ファインダの光軸方向に移動可能に支持したレンズＬ２と、当該レンズに係合するカム溝４２が設けられてレンズＬ２を光軸方向に移動させる駆動カム４とを備え、レンズＬ２と一体的に設けられて光軸方向の一方向からカム溝の内壁に当接されるカムフォロア３１と、レンズＬ２に一体的に支持されて光軸方向の反対方向からカム溝４２の内壁に弾接してカムフォロア３１を光軸方向の一方向に付勢する板バネ６とを備える。板バネ６によってカムフォロア３１を常時カム溝４２の内壁に当接した状態を保持することができ、カム溝とカムフォロアとの間に寸法差が存在してもガタが生じることはなく、レンズを光軸方向に安定に位置移動することが可能になる。【選択図】  図１
2006072057.tif 000002
【特許請求の範囲】
【請求項１】
ファインダの光軸方向に移動可能に支持されたレンズと、前記レンズに係合するカム条が設けられて前記レンズを光軸方向に移動させる駆動カムとを備え、前記レンズと一体的に設けられて光軸方向の一方向から前記カム条に当接されるカムフォロアと、前記レンズに一体的に支持され光軸方向の反対方向から前記カム条に弾接して前記カムフォロアを前記光軸方向の一方向に付勢する付勢手段とを備えることを特徴とするファインダ装置。
【請求項２】
前記レンズを支持するレンズ枠を備え、前記カムフォロアは前記レンズ枠と一体に設けられ、前記付勢手段は前記レンズ枠に支持されていることを特徴とする請求項１に記載のファインダ装置。
【請求項３】
前記付勢手段は基端が前記レンズ枠に一体的に支持され、自由端が前記カム条に弾接される板バネで構成されることを特徴とする請求項２に記載のファインダ装置。
【請求項４】
前記付勢手段は一端部が前記レンズ枠に一体的に支持され、他端部が前記カム条に弾接されるコイルバネで構成されることを特徴とする請求項２に記載のファインダ装置。
【請求項５】
前記カム条はカム溝であり、前記カム溝の一方の内壁に前記カムフォロアが当接され、前記カム溝の他方の内壁に前記付勢手段が弾接されることを特徴とする請求項１ないし４のいずれかに記載のファインダ装置。
【請求項６】
前記カム条はカム凸条であり、前記カム凸条の一方の外壁に前記カムフォロアが当接され、前記カム凸条の他方の外壁に前記付勢手段が弾接されることを特徴とする請求項１ないし４のいずれかに記載のファインダ装置。
【請求項７】
前記レンズはズームレンズとして構成され、当該ズームレンズの移動により焦点距離が変化されるズームファインダとして構成されることを特徴とする請求項１ないし６のいずれかに記載のファインダ装置。
【発明の詳細な説明】
【技術分野】
【０００１】
本発明はカメラのファインダ装置に関し、特にズームファインダ装置のように少なくとも一つのレンズをカム機構によって光軸方向に沿って移動させる構成のファインダ装置に関する。
【背景技術】
【０００２】
ファインダ視野倍率を変化させることができるズームファインダはカメラのズーム撮影レンズの焦点距離に対応してファインダ光学系を構成するレンズを光軸方向に移動させる構成となっている。このようなファインダ装置として例えば特許文献１のファインダ装置では、図６に示すように、第１ないし第４のレンズＬ１〜Ｌ４を備えるファインダ光学系の光軸方向に沿ってフレーム２０１で両端を支持したガイドシャフト２０２を延設し、ズーム動作時に移動させるレンズＬ２をレンズ枠２０３によって当該ガイドシャフト２０２に移動可能に支持している。また、当該レンズＬ２を光軸方向に移動させるために、撮影レンズのズーム動作に連動した図には表れない回転伝達機構によって光軸回りに回動される駆動カム２０４を設け、前記レンズＬ２のレンズ枠２０３に設けたカムフォロア２３１を駆動カム２０４に設けたカム溝２４２に係合させている。そして、駆動カム２０４を回動することによりカム溝２４２とカムフォロア２３１とのカム係合によってレンズ枠２０３、すなわちレンズＬ２を光軸方向に移動することが可能になる。
【０００３】
この種のファインダ装置では、カム溝２４２内でカムフォロア２３１を円滑に移動させるためにカムフォロア２３１とカム溝２４２との間に若干の寸法余裕を設けているが、この寸法余裕が両者の間のガタとなり、あるいは移動方向が切り替わる際のバックラッシュの要因となり、レンズの光軸方向の位置を安定に制御することが難しくなる。そのため、従来では図６に示したように付勢手段、ここではガイドシャフト２０２に嵌装したコイルバネ２０７を用いてレンズ枠２０３と一体のカムフォロア２３１をカム溝２４２の一方の内壁に弾圧させる構成がとられている。これにより、カムフォロア２３１は常時カム溝２４２の一方の内壁に接触した状態が保持されることになり、レンズＬ２の光軸方向の位置を安定に制御することが可能になる。
【特許文献１】特開平１１−２４９２０２号公報
【発明の開示】
【発明が解決しようとする課題】
【０００４】
特許文献１のファインダ装置では、レンズＬ２のレンズ枠２０３をコイルバネ２０７によって光軸方向の一方向から付勢した構成となっているので、駆動カム２０４によってレンズＬ２がコイルバネ２０７側に移動されたときと、コイルバネ２０７と反対側に移動されたときでコイルバネによる付勢力が変化する。前者の場合にはコイルバネ２０７による付勢力が大きくなり、後者の場合にはコイルバネ２０７による付勢力が小さくなる。そのため、弾性力の小さなコイルバネを用いたときには、レンズＬ２がコイルバネ２０７と反対側に移動された場合にコイルバネ２０７による付勢力が小さくなってカムフォロア２３１をカム溝２４２の内面に必要な弾性力をもって当接させることが不十分になり、カムフォロアがカム溝の内壁から離れてしまうなど、レンズを安定した位置に移動させることができなくなる。これを防止するために弾性力の大きなコイルバネを用いると、レンズＬ２がコイルバネ２０７側に移動された場合にはカムフォロア２３１をカム溝２４２の内面に当接させる力が大きくなり過ぎ、カムフォロア２３１がカム溝２４２内で移動する際の摩擦抵抗が大きくなり、カムフォロア２３１を円滑に移動することが難しくなり、レンズＬ２を適切に位置移動させることができなくなることもある。
【０００５】
本発明の目的は、付勢手段によるこのような問題を解消し、レンズを安定した位置に適切に移動させることを可能にしたファインダ装置を提供することにある。
【課題を解決するための手段】
【０００６】
本発明のファインダ装置は、ファインダの光軸方向に移動可能に支持したレンズと、当該レンズに係合するカム条が設けられてレンズを光軸方向に移動させる駆動カムとを備え、レンズと一体的に設けられて光軸方向の一方向からカム条に当接されるカムフォロアと、レンズに一体的に支持されて光軸方向の反対方向からカム条に弾接してカムフォロアを前記光軸方向の一方向に付勢する付勢手段とを備えることを特徴とする。ここで、本発明におけるカム条とは、カム溝またはカム突起の両方を含めたものと定義する。本発明の好ましい形態としては、レンズを支持するレンズ枠にカムフォロアを設け、当該レンズ枠に付勢手段を支持する構成とする。
【発明の効果】
【０００７】
本発明のファインダ装置は、付勢手段によってカムフォロアを常時カム条に当接した状態を保持することができ、カム条とカムフォロアとの間に寸法差が存在する場合でも両者間にガタが生じることはなく、レンズを光軸方向に安定に位置移動することが可能になる。また、カム条の寸法を一定にした場合には付勢手段の撓み量は一定であり、弾性力が変化されることはなくカムフォロアを一定の付勢力でカム条に当接させ、摩擦抵抗が大きくなるようなこともなく円滑な移動が可能になる。さらに、付勢手段はカム条の寸法に対応する弾力性を発揮させるものであればよいため、小型の付勢手段を用いることができ、ファインダ装置を小型化することが可能になる。
【発明を実施するための最良の形態】
【０００８】
本発明における付勢手段は基端がレンズ枠に一体的に支持され、自由端がカム条に弾接される板バネで構成される。あるいは、一端部がレンズ枠に一体的に支持され、他端部がカム条に弾接されるコイルバネで構成される。
【０００９】
本発明におけるカム条はカム溝であり、カム溝の一方の内壁にカムフォロアが当接され、カム溝の他方の内壁に付勢手段が弾接される構成とされる。あるいは、カム条はカム凸条であり、カム凸条の一方の外壁にカムフォロアが当接され、カム凸条の他方の外壁に付勢手段が弾接される構成とされる。
【実施例１】
【００１０】
次に、本発明の実施例１を図面を参照して説明する。図１は実施例１の概略構成を示す斜視図、図２はその一部の側面図である。ファインダ装置はフレーム１に組み立てられており、前記フレーム１は平板状の底板１０１に図２に示す前壁１０２と後壁１０３を有している。そして、ファインダ光学系１０を構成する４枚の矩形レンズＬ１〜Ｌ４が同一光軸上に配列されており、これら４枚のレンズのうち、対物レンズとしての第１レンズＬ１、焦点レンズとしての第３レンズＬ３、接眼レンズとしての第４レンズＬ４の各レンズは固定レンズとして、それぞれ前記フレーム１に固定的に支持されている。また、第２レンズＬ２はズーミングレンズとして光軸方向に移動可能とされている。ここでは、前記フレーム１の底板１０１の上方位置において光軸と平行にガイドシャフト２が延設されており、このガイドシャフト２の前端と後端はそれぞれ前記前壁１０２と後壁１０３に固定支持されている。前記ガイドシャフト２には前記第２レンズＬ２を支持しているレンズ枠３が挿通穴３ａにおいて挿通されており、これにより前記第２レンズＬ２はレンズ枠３と共にガイドシャフト２に沿って光軸方向に移動可能とされている。
【００１１】
前記フレーム１の前記底板１０１上には図２の紙面と垂直な方向、すなわち光軸と直交する方向に直線移動可能な駆動カム４が配設されている。この駆動カム４は前記底板１０１の上面に設けられた一対のガイドレール１０１ａ間に挟まれた状態で図には表れないカメラの撮影レンズのズーム動作に連動して移動されるようになっている。この実施例１では駆動カム４の光軸方向の一方の側辺に光軸方向と直交する方向に沿ってラック４１が形成され、このラック４１にはカメラの撮影レンズのズーム機構に連結されたピニオン５が噛合されており、撮影レンズのズーム動作と共に回動されるピニオン５によってラック４１、すなわち駆動カム４が往復移動される構成となっている。前記駆動カム４の表面には光軸方向及びこれと直交する方向の領域にわたって所要のパターンをした凹溝状のカム溝４２が形成されており、前記第２レンズＬ２の前記レンズ枠３の下面から下方に突出したカムフォロア３１が前記カム溝４２内に内挿されている。前記カム溝４２は光軸方向の幅寸法がほぼ一定となるように形成されている。
【００１２】
前記カムフォロア３１は円柱状をしたボスとして構成されており、その直径は前記カム溝４２の光軸方向の幅寸法よりも小さく形成され、前記カム溝４２の前側内壁（ファインダ装置の第１レンズ側の内壁）４２ｆに当接されている。また、板バネ材を曲げ形成して板厚方向に弾性力を有する付勢手段としての板バネ６が設けられており、この板バネ６はその上側の基端６ａにおいて前記レンズ枠３の上縁部に固定され、この板バネ６の下方に向けられた自由端６ｂは半球面状に曲げ形成された上で前記カム溝４２の後側内壁（ファインダ装置の第４レンズ側の内壁）４２ｒに弾接されている。したがって、この板バネ６の自由端６ｂがカム溝４２の後側内壁４２ｒに弾接する際の反力によって前記レンズ枠３、すなわちカムフォロア３１は前側方向に付勢され、カム溝４２の前側内壁４２ｆに接触した状態が保持されることになる。
【００１３】
このように構成されたファインダ装置では、図には表れない撮影レンズのズーム動作に連動してピニオン５が可動され、これに噛合するラック４１により駆動カム４がガイトレール１０１ａ間で光軸と直交する方向に移動されると、カムフォロア３１はカム溝４２の前側内壁４２ｆの平面パターン形状に倣ってガイドシャフト２上で光軸方向に移動される。これによりカムフォロア３１を一体に有するレンズ枠３、すなわち第２レンズＬ２がカム形状に従って光軸方向に移動され、撮影レンズの焦点距離に対応してファインダ装置のズーム動作が行われることになる。
【００１４】
そして、このズーム動作に際しては、板バネ６の自由端６ｂがカム溝４２の後側内壁４２ｒに弾接する際の反力がレンズ枠３を介してカムフォロア３１に加えられるためカムフォロア３１はカム溝４２の前側内壁４２ｆに常時接触した状態が保持されることになる。図３はカム溝とカムフォロア３１及び板バネ６の関係を示す平面模式図であり、駆動カム４が光軸と直交する方向に移動したときにカムフォロア３１が光軸方向に移動され、これのとき板バネ６の付勢力によってカムフォロア３１が常時カム溝４２の前側内壁４２ｆに当接される状態が保持されている。
【００１５】
したがって、カム溝４２の光軸方向の幅寸法とカムフォロア３１の径寸法との寸法差が存在していてもカムフォロア３１とカム溝４２との間にガタが生じることはなく、カムフォロア３１、すなわち第２レンズＬ２を光軸方向に安定に位置移動することが可能になる。また、第２レンズＬ２がカム溝４２に沿って光軸方向のいずれの位置に移動される場合でも、カム溝４２の光軸方向の幅寸法は一定であるため板バネ６の撓み量は一定であり、弾性力が変化されることはなくカムフォロア３１を一定の付勢力でカム溝４２の前側内壁４２ｆに当接させ、摩擦抵抗が大きくなるようなことはなく円滑な移動が可能になる。さらに、板バネ６はカム溝４２の光軸方向の幅寸法の範囲内で弾力性を発揮させるものであればよいため、小型の板バネを用いることができ、ファインダ装置を小型化する上でも有効である。
【実施例２】
【００１６】
図４は本発明の実施例２の一部を破断した側面図である。基本的な構成は実施例１と同じであるので同一部分には同一符号を付して詳細な説明は省略する。実施例２ではカムフォロアの一部に付勢バネを内蔵させたことを特徴とするものである。すなわち、カムフォロア３１Ａはレンズ枠３の光軸方向の厚さ寸法とほぼ同じ寸法に形成されており、このカムフォロア３１Ａの後面に小径部と大径部を有する盲穴３２を開口し、この盲穴３２の大径部内に付勢手段としてのコイルバネ７を内装するとともに、盲穴３２の小径部内には開口側から前記コイルバネ７を撓めた状態でプランジャ７１を内挿したものである。このプランジャ７１はコイルバネ７の弾性力によって盲穴３２の開口側に付勢され、球面状に形成された先端部７１ａがカム溝４２の後側内壁４２ｒに光軸方向に弾接されている。すなわち、原理的にはコイルバネ７の一端側をレンズ枠３に固定し、他端側をカム溝４２の後側内壁４２ｒに弾接した構成である。
【００１７】
一方、駆動カム４は表面に形成されているカム溝４２は実施例１よりも光軸方向の幅寸法が大きくされており、前記カムフォロア３１Ａ及び前記プランジャ３４をカム溝４２内に内装することができる寸法に形成されている。
【００１８】
実施例２のファインダ装置１は、カメラの撮影レンズのズーム動作に連動して駆動カム４が光軸と直交する方向に移動され、カムフォロア３１Ａはカム溝４２の平面パターン形状にしたがってガイドシャフト２に沿って光軸方向に移動され、カムフォロア３１Ａを一体に有するレンズ枠３、すなわち第２レンズＬ２が光軸方向に移動され、これにより撮影レンズの焦点距離に対応してファインダ装置のズーム動作が行われることは実施例１と同じである。また、このズーム動作に際しては、プランジャ７１がコイルバネ７の弾性力によってカム溝４２の後側内壁４２ｒに弾接し、その際の反力がレンズ枠３を介してカムフォロア３１Ａに加えられるためカムフォロア３１Ａはカム溝４２の前側内壁４２ｆに常時接触した状態が保持されることになる。したがって、カム溝４２の幅寸法とカムフォロア３１Ａの光軸方向の寸法との寸法差が存在していてもカムフォロア３１Ａとカム溝４２との間にガタが生じることはなく、第２レンズＬ２を光軸方向に安定に位置移動することが可能になる。また、第２レンズＬ２がカム溝４２に沿って光軸方向のいずれの位置に移動される場合でも、カム溝４２の光軸方向の幅寸法は一定であるためコイルバネ７の撓み量は一定であり、弾性力が変化されることはなく、カムフォロア３１Ａを一定の付勢力でカム溝４２の前側内壁４２ｆに当接させ、摩擦抵抗が大きくなるようなこともない。さらに、コイルバネ７及びプランジャ７１はカムフォロア３１Ａに設けた盲穴３２内に内挿した構成であるため小型に構成でき、また実施例１のように板バネがレンズ枠の一側面に延在されることもなく、ファインダ装置をさらに小型化する上でも有効である。
【００１９】
ここで本発明のファインダ装置は、前記実施例１，２のレンズ光学系の構成に限定されるものでない。また、駆動カムとカムフォロア及び付勢手段の構成についても実施例１，２に限定されるものではない。例えば、実施例１の変形例として、図５に示すように、駆動カム４の表面にはカム溝に代えて断面形状が矩形をしたカム凸条４３を形成する。このカム凸条４３は実施例１，２のカム溝４２と同じ平面パターン形状である。そして、前記カム凸条４３の一方の外壁、ここでは前側外壁４３ｆにカムフォロア３１Ｂを当接させ、カム凸条４３を挟むように反対側の後側外壁４３ｒにレンズ枠３に一端を固定した付勢手段としての板バネ８の自由端を弾接させるようにしてもよい。この変形例の場合には、板バネ８によって常時一定の付勢力でカムフォロア３１Ｂをカム凸条４３に当接させることができ、実施例１と同様にして第２レンズＬ２を安定に位置移動させることができる。図示は省略するが実施例２についても同様の変形例を構成することが可能である。
【００２０】
なお、カム溝あるいはカム凸条は光軸方向の幅寸法が一定であることが好ましいが、付勢手段の弾性力が大きく変化することがない程度であれば幅寸法に多少のばらつきが生じていてもよい。また、実施例２のコイルバネは、コイルバネをカム条に沿って移動したときにその軸心が座屈しないのであれば特にプランジャを設ける必要はなく、コイルバネの先端を直接カム溝やカム凸条の壁面に弾接させる構成としてもよい。
【図面の簡単な説明】
【００２１】
【図１】本発明の実施例１のファインダ装置の概略構成を示す斜視図である。
【図２】図１の要部の側面図である。
【図３】カム溝とカムフォロア及び板バネの相関を示す平面模式図である。
【図４】実施例２の要部の側面図である。
【図５】実施例１の変形例の要部の側面図である。
【図６】特許文献１のファインダ装置の側面図である。
【符号の説明】
【００２２】
１  フレーム
２  ガイドシャフト
３  レンズ枠
４  駆動カム
５  ピニオン
６  板バネ
７  コイルバネ
８  板バネ
３１，３１Ａ，３１Ｂ  カムフォロア
３２  盲穴
４１  ラック
４２  カム溝
４３  カム凸条
７１  プランジャ
Ｌ１〜Ｌ４  レンズ
【図１】
2006072057.tif 000003
【図２】
2006072057.tif 000004
【図３】
2006072057.tif 000005
【図４】
2006072057.tif 000006
【図５】
2006072057.tif 000007
【図６】
2006072057.tif 000008